(57)【要約】【課題】室内機と室外機の電力供給の不具合を検知することができる空気調和システムを提供する。【解決手段】室内機３０と室外機１０とを備える空気調和システム１００，１が提供される。室内機３０または室外機１０が制御部１０１を含む。制御部１０１は、室内機３５のＡＣ電圧と室外機１０のＡＣ電圧の差を計算することによって、当該差が所定値よりも大きいか否かを判断し、当該差が所定値よりも大きい場合にエラー通知を出力する。【選択図】図４
2020190365.tif 000002
【特許請求の範囲】
【請求項１】
室内機と室外機とを備える空気調和システムであって、
前記室内機または前記室外機が制御部を含み、
前記制御部は、前記室内機のＡＣ電圧と前記室外機のＡＣ電圧の差を計算することによって、当該差が所定値よりも大きいか否かを判断し、当該差が所定値よりも大きい場合にエラー通知を出力する、空気調和システム。
【請求項２】
室内機と室外機とを備える空気調和システムであって、
前記室内機または前記室外機が制御部を含み、
前記制御部は、前記室内機のＡＣ電圧と前記室外機のＡＣ電圧の差を計算することによって、当該差が所定値よりも大きいか否かを判断し、当該差が所定値よりも大きい場合に低電力運転を実施する、空気調和システム。
【請求項３】
室内機と、室外機と、前記室内機または前記室外機と通信可能なサーバとを備える空気調和システムであって、
前記サーバが制御部を含み、
前記制御部は、前記室内機のＡＣ電圧と前記室外機のＡＣ電圧の差を計算することによって、当該差が所定値よりも大きいか否かを判断し、当該差が所定値よりも大きい場合に前記室内機または通信端末にエラー通知を出力させる、空気調和システム。
【請求項４】
室内機と、室外機と、前記室内機または前記室外機と通信可能なサーバとを備える空気調和システムであって、
前記サーバが制御部を含み、
前記制御部は、前記室内機のＡＣ電圧と前記室外機のＡＣ電圧の差を計算することによって、当該差が所定値よりも大きいか否かを判断し、当該差が所定値よりも大きい場合に前記室外機に低電力運転を実施させる、空気調和システム。
【請求項５】
室内機と、室外機と、前記室内機または前記室外機と通信可能な通信端末とを備える空気調和システムであって、
前記通信端末が制御部を含み、
前記制御部は、前記室内機のＡＣ電圧と前記室外機のＡＣ電圧の差を計算することによって、当該差が所定値よりも大きいか否かを判断し、当該差が所定値よりも大きい場合にエラー通知を出力する、空気調和システム。
【請求項６】
前記制御部は、前記室内機または前記室外機の電源がＯＮされたときに、前記判断を実行する、請求項１から５のいずれか１項に記載の空気調和システム。
【請求項７】
前記制御部は、定期的に、前記判断を実行する、請求項１から５のいずれか１項に記載の空気調和システム。
【請求項８】
前記制御部は、空気調和運転の積算時間が所定の時間に達したときに、前記判断を実行する、請求項１から５のいずれか１項に記載の空気調和システム。
【発明の詳細な説明】
【技術分野】
【０００１】
本発明は、空気調和システムの技術に関し、特に、室内機と室外機を含む空気調和システムの技術に関する。
【背景技術】
【０００２】
室内機と室外機を含む空気調和システムが知られている。たとえば、特開２０１９−６６１０６号公報（特許文献１）には、空気調和機が開示されている。特許文献１によると、空気調和機では、室内側回路と室外側回路とが、通信ラインおよび電源ラインを介して接続される。室内マイコンは、通信ラインを介しての室内機−室外機間の通信や、電源ラインを介しての室内機−室外機間の電力の供給／停止を制御する。室内マイコンは、異常信号を検知した場合に誤配線を検出し、電源ラインにおける電力供給を停止させる。
【先行技術文献】
【特許文献】
【０００３】
【特許文献１】特開２０１９−６６１０６号公報
【発明の概要】
【発明が解決しようとする課題】
【０００４】
本発明の目的は、室内機と室外機の間の電力供給の不具合を検知することができる空気調和システムを提供することである。
【課題を解決するための手段】
【０００５】
この発明のある態様に従うと、室内機と室外機とを備える空気調和システムが提供される。室内機または室外機が制御部を含む。制御部は、室内機のＡＣ電圧と室外機のＡＣ電圧の差を計算することによって、当該差が所定値よりも大きいか否かを判断し、当該差が所定値よりも大きい場合にエラー通知を出力する。
【発明の効果】
【０００６】
以上のように、この発明によれば、室内機と室外機の電力供給の不具合を検知することができる空気調和システムが提供される。
【図面の簡単な説明】
【０００７】
【図１】第１の実施の形態にかかる空気調和機の概略構成図である。なお、本図では、四路切換弁が冷房運転状態となっている。
【図２】第１の実施の形態にかかる空気調和機の概略構成図である。なお、本図では、四路切換弁が暖房運転状態となっている。
【図３】第１の実施の形態にかかる空気調和機の構成を表わす機能ブロック図である。
【図４】第１の実施の形態にかかる空気調和機の電力供給構成を示すブロック図である。
【図５】第１の実施の形態にかかる制御部１０１による電圧差確認処理を示すフローチャートである。
【図６】第２の実施の形態にかかる空気調和システム１の全体構成を示すイメージ図である。
【図７】第２の実施の形態にかかるサーバ２００の構成を示すブロック図である。
【図８】第３の実施の形態にかかる通信端末３００の構成の構成を示すブロック図である。
【発明を実施するための形態】
【０００８】
以下、図面を参照しつつ、本発明の実施の形態について説明する。以下の説明では、同一の部品には同一の符号を付してある。それらの名称および機能も同じである。したがって、それらについての詳細な説明は繰り返さない。
＜第１の実施の形態＞
＜空気調和機の全体構成＞
【０００９】
まず、本実施の形態にかかる空気調和システムを構成する空気調和機１００の全体構成と基本的な動作概要とについて説明する。なお、図１は、第１の実施の形態にかかる空気調和機１００の冷房運転時および除霜運転時の概略構成図である。また、図２は、第１の実施の形態にかかる空気調和機１００の暖房運転時の概略構成図である。
【００１０】
図１および図２を参照して、本実施の形態にかかる空気調和機１００は、セパレート式の空気調和機であって、主に、室外機１０、室内機３０およびリモートコントローラ５０から構成されている。なお、空気調和機１００は、室内機３０と室外機１０とが冷媒配管１７および１８を介して接続されることによって構成されている。そして、後述するように、室内機３０と室外機１０とは、通信用の配線や電力供給用のユニット間配線などを介しても接続される。以下、室外機１０、室内機３０、リモートコントローラ５０、冷媒配管１７および１８について詳述する。
【００１１】
（１）室外機
室外機１０は、主に、筐体１１、圧縮機１２、四路切換弁１３、室外熱交換器１４、膨張弁１５、室外ファン１６、冷媒配管１７、冷媒配管１８、二方弁１９、三方弁２０、室外熱交換器温度センサ２１、吐出温度センサ２２、吸入温度センサ２３、出口温度センサ２４、外気温度センサ２５および室外制御部２９から構成されている。なお、この室外機１０は、屋外に設置されている。
【００１２】
筐体１１には、圧縮機１２、四路切換弁１３、室外熱交換器１４、膨張弁１５、室外ファン１６、冷媒配管１７、冷媒配管１８、二方弁１９、三方弁２０、温度センサ２１〜２５および室外制御部２９等が収納されている。
【００１３】
圧縮機１２は、吐出管１２ａおよび吸入管１２ｂを有している。吐出管１２ａおよび吸入管１２ｂは、それぞれ、四路切換弁１３の異なる接続口に接続されている。また、圧縮機１２は、通信線を介して室外制御部２９に通信接続されており、室外制御部２９から送信される制御信号に従って動作する。圧縮機１２は、運転時、吸入管１２ｂから低圧の冷媒ガスを吸入し、その冷媒ガスを圧縮して高圧の冷媒ガスを生成した後、その高圧の冷媒ガスを吐出管１２ａから吐出する。なお、本実施の形態において、この圧縮機１２の制御形式は、特に限定されず、定速式の圧縮機であってもよいし、インバータ式の圧縮機であってもよい。
【００１４】
四路切換弁１３は、冷媒配管を介して圧縮機１２の吐出管１２ａおよび吸入管１２ｂ、室外熱交換器１４ならびに室内熱交換器３２に接続されている。そして、この四路切換弁１３は、通信線を介して室外制御部２９に通信接続されており、室外制御部２９から送信される制御信号に従って動作する。これによって、四路切換弁１３は、運転時、室外制御部２９から送信される制御信号に従って、圧縮機１２の吐出管１２ａを室外熱交換器１４に連結させると共に圧縮機１２の吸入管１２ｂを室内熱交換器３２に連結させる冷房運転状態（図１参照）と、圧縮機１２の吐出管１２ａを室内熱交換器３２に連結させると共に圧縮機１２の吸入管１２ｂを室外熱交換器１４に連結させる暖房運転状態（図２参照）とを切り換える。
【００１５】
室外熱交換器１４は、左右両端で複数回折り返された伝熱管（図示せず）に多数の放熱フィン（図示せず）が取り付けられたもの（フィン＆チューブ型）であって、冷房運転時（図１参照）には凝縮器として機能し、暖房運転時（図２参照）には蒸発器として機能する。なお、熱交換器としてパラレルフロー型熱交換器やサーペン型熱交換器を用いてもよい。
【００１６】
膨張弁１５は、ステッピングモータを介して開度制御が可能な電子膨張弁であって、一方が冷媒配管１７を介して二方弁１９に接続されると共に、他方が室外熱交換器１４に接続されている。また、この膨張弁１５のステッピングモータは、通信線を介して室外制御部２９に通信接続されており、室外制御部２９から送信される制御信号に従って動作する。膨張弁１５は、運転時において、凝縮器（冷房時は室外熱交換器１４であり、暖房時は室内熱交換器３２である）から流出する高温高圧の液冷媒を蒸発しやすい状態に減圧すると共に、蒸発器（冷房時は室内熱交換器３２であり、暖房時は室外熱交換器１４である）への冷媒供給量を調節する役目を担っている。
【００１７】
室外ファン１６は、主に、後述するように、プロペラファンおよびモータから構成されている。プロペラファンは、モータによって回転駆動され、屋外の外気を室外熱交換器１４に供給する。モータは、通信線を介して室外制御部２９に通信接続されており、室外制御部２９から送信される制御信号に従って動作する。
【００１８】
二方弁１９は、冷媒配管１７に配設されている。なお、二方弁１９は、室外機１０から冷媒配管１７が取り外されるときに閉じられ、冷媒が室外機１０から外部に漏れることを防ぐ。
【００１９】
三方弁２０は、冷媒配管１８に配設されている。なお、三方弁２０は、室外機１０から冷媒配管１８が取り外されるときに閉じられ、冷媒が室外機１０から外部に漏れることを防ぐ。また、室外機１０から、あるいは室内機３０を含めた冷凍サイクル全体から、冷媒を回収する必要があるときは、三方弁２０を通じて冷媒の回収が行われる。
【００２０】
室外熱交換器温度センサ２１は室外熱交換器１４に配置されており、吐出温度センサ２２は圧縮機１２の吐出管１２ａに配置されており、吸入温度センサ２３は圧縮機１２の吸入管１２ｂに配置されており、出口温度センサ２４は室外熱交換器１４の出口付近の冷媒配管１７に配置されており、外気温度センサ２５は外気温度測定用であって筐体１１の内部の所定箇所に配置されている。これらの温度センサ２１〜２５は、全て、通信線を介して室外制御部２９に通信接続されており、計測された温度に関する情報を室外制御部２９に送信している。
【００２１】
室外制御部２９は、通信線を介して圧縮機１２、四路切換弁１３、膨張弁１５、室外ファン１６および温度センサ２１〜２５に通信接続されている。たとえば、室外制御部２９のプロセッサは、随時、温度センサ２１〜２５の出力情報や、メモリに記憶される種々の制御パラメータ等を演算処理して適切な制御パラメータを導出し、その制御パラメータを、圧縮機１２や、四路切換弁１３、膨張弁１５、室外ファン１６に送信する。また、プロセッサは、必要に応じて、制御パラメータ等を室内制御部３５に送信したり、受信したりする。
【００２２】
（２）室内機
室内機３０は、主に、筐体３１、室内熱交換器３２、室内ファン３３、縦ルーバー３６、後述する横ルーバー、室内熱交換器温度センサ３４、室内温度センサ３８、室内制御部３５、赤外線受光部３９などから構成されている。なお、この室内機３０は、一般的に室内の壁面に設置されている。
【００２３】
筐体３１には、室内熱交換器３２、室内ファン３３、室内熱交換器温度センサ３４、室内温度センサ３８および室内制御部３５等が収納されている。縦ルーバー３６は、筐体３１の一部を構成している。
【００２４】
室内熱交換器３２は、３個の熱交換器３２Ａ、３２Ｂ、３２Ｃを、室内ファン３３を覆う屋根のように組み合わせたものである。なお、各熱交換器３２Ａ、３２Ｂ、３２Ｃは、左右両端で複数回折り返された伝熱管（図示せず）に多数の放熱フィン（図示せず）が取り付けられたものであって、冷房運転時（図１参照）には蒸発器として機能し、暖房運転時（図２参照）には凝縮器として機能する。
【００２５】
室内ファン３３は、主に、後述するように、クロスフローファンおよびモータから構成されている。クロスフローファンは、モータによって回転駆動され、室内の空気を吸い込み口から筐体３１内に吸い込んで室内熱交換器３２に供給すると共に、室内熱交換器３２で熱交換された空気を室内に送出する。モータは、通信線を介して室内制御部３５に通信接続されており、室内制御部３５から送信される制御信号に従って動作する。
【００２６】
なお、本実施の形態においては、吸い込み口にはフィルタ４９が取り付けられており、ごみやホコリが筐体３１に入る可能性や、室内熱交換器３２に接触する可能性を低減している。
【００２７】
縦ルーバー３６は、縦風向き変更板およびステッピングモータから構成されている。縦風向き変更板はステッピングモータによって回動され、クロスフローファンによって室内に送出される空気の上下の送出方向を調節する。ステッピングモータは、通信線を介して室内制御部３５に通信接続されており、室内制御部３５から送信される制御信号に従って動作する。
【００２８】
室内熱交換器温度センサ３４は室内熱交換器３２に配置されており、室内温度センサ３８は、室内温度を測定するものであって筐体３１内の吸込口付近に配置されている。温度センサ３４，３８は、通信線を介して室内制御部３５に通信接続されており、計測された温度に関する情報を室内制御部３５に送信している。
【００２９】
室内制御部３５は、通信線を介して室内ファン３３、縦ルーバー３６および温度センサ３４，３８に通信接続されている。室内制御部３５のプロセッサは、随時、リモートコントローラ５０からの制御信号や、温度センサ３４，３８の出力情報等を演算処理して適切な制御パラメータを導出し、その制御パラメータ等を、室内ファン３３や、縦ルーバー３６などに送信する。また、プロセッサは、必要に応じて、制御パラメータ等を室外制御部２９に送信したり、制御パラメータ等を室外制御部２９から受信したりする。
【００３０】
赤外線受光部３９は、リモートコントローラ５０から発生される点滅赤外線を受光するものである。この赤外線受光部３９は、点滅赤外線を信号化処理し、生成した信号を室内制御部３５に受け渡す。
【００３１】
なお、室外機１０の圧縮機１２、四路切換弁１３、室外熱交換器１４および膨張弁１５、ならびに室内機３０の室内熱交換器３２は、冷媒配管１７，１８によって順次接続され、冷媒回路を構成している。本実施の形態において、この冷媒回路上の各ユニット、室外ファン１６、室内ファン３３、縦ルーバー３６などを併せて空気調和機構と称し、図１および図２中において符号２で示す。
【００３２】
（３）リモートコントローラ
リモートコントローラ５０は、点滅赤外線を利用してユーザの様々な指令を赤外線受光部３９を介して室内機３０の室内制御部３５に伝達するためのものであって、主に、赤外線発光部、表示パネル、運転停止ボタン、モード切換ボタン、温度上昇ボタン、温度下降ボタン、風量上昇ボタン、風量下降ボタン、風向調節ボタン、自動運転ボタン等から構成されている。
【００３３】
（４）冷媒配管
冷媒配管１７は、冷媒配管１８よりも細い管であって、冷房運転時および除霜運転時に液冷媒が流れる。冷媒配管１８は、冷媒配管１７よりも太い管であって、冷房運転時にガス冷媒が流れる。なお、冷媒としては、例えば、ＨＦＣ系のＲ４１０ＡやＲ３２等が用いられる。
＜空気調和機の基本的な動作＞
【００３４】
以下、本実施の形態にかかる空気調和機１００の冷房運転機構、暖房運転機構、および除霜運転機構について詳述する。
【００３５】
（１）冷房運転機構
冷房運転では、四路切換弁１３が図１に示される状態、すなわち、圧縮機１２の吐出管１２ａが室外熱交換器１４に接続され、かつ、圧縮機１２の吸入管１２ｂが室内熱交換器３２に接続された状態となる。また、このとき、二方弁１９および三方弁２０は開状態とされている。この状態で、圧縮機１２が起動されると、ガス冷媒が、圧縮機１２に吸入され、圧縮された後、四路切換弁１３を経由して室外熱交換器１４に送られ、室外熱交換器１４において冷却され、液冷媒となる。その後、この液冷媒は、膨張弁１５に送られ、減圧されて気液二相状態となる。気液二相状態の冷媒は、二方弁１９を経由して室内熱交換器３２に供給され、室内空気を冷却するとともに蒸発されてガス冷媒となる。最後に、そのガス冷媒は、三方弁２０および四路切換弁１３を経由して、再び、圧縮機１２に吸入される。このようにして、本実施の形態にかかる空気調和機１００は、冷房運転機構すなわち冷房運転サイクルを有する。
【００３６】
（２）暖房運転機構
暖房運転では、四路切換弁１３が図２に示される状態、すなわち、圧縮機１２の吐出管１２ａが室内熱交換器３２に接続され、かつ、圧縮機１２の吸入管１２ｂが室外熱交換器１４に接続された状態となる。また、このとき、二方弁１９および三方弁２０は開状態とされている。この状態で、圧縮機１２が起動されると、ガス冷媒が、圧縮機１２に吸入され、圧縮された後、四路切換弁１３および三方弁２０を経由して室内熱交換器３２に供給され、室内空気を加熱すると共に凝縮されて液冷媒となる。その後、この液冷媒は、二方弁１９を経由して膨張弁１５に送られ、減圧されて気液二相状態となる。気液二相状態の冷媒は、室外熱交換器１４に送られて、室外熱交換器１４において蒸発させられてガス冷媒となる。最後に、そのガス冷媒は、四路切換弁１３を経由して、再び、圧縮機１２に吸入される。このようにして、本実施の形態にかかる空気調和機１００は、暖房運転機構すなわち暖房運転サイクルを有する。
【００３７】
（３）除霜運転機構
暖房運転時には、室外熱交換器１４に霜が付き熱交換能力が落ちる場合がある。そこで、室外制御部２９が、室外熱交換器用の温度センサ２１からの温度に基づいて、室外熱交換器１４に霜が付いたか否かを判定する。室外制御部２９は、霜が付いたと判断した場合に、四路切換弁１３を切り換えて上述の冷房運転を行なうことによって除霜する（リバース除霜）。なお、室外制御部２９は、室外熱交換器用の温度センサ２１からの温度に基づいて、適切に室外熱交換器１４の霜が除かれたか否かを判定する。
＜空気調和機１００の機能構成＞
【００３８】
次に、図３を参照しながら、本実施の形態にかかる空気調和機１００の機能構成について説明する。なお、図３は、第１の実施の形態にかかる空気調和機１００の機能構成を表わす機能ブロック図である。
【００３９】
まず、上述したように、空気調和機１００は、室外制御部２９と室内制御部３５とを含む。以下では、説明のために、室外制御部２９と室内制御部３５とを合わせて制御部１０１という。なお、室外制御部２９と室内制御部３５とは、配線によって通信可能である。そして、制御部１０１が実行する処理は、基本的に、室内制御部３５によって実行されてもよいし、室外制御部２９によって実行されてもよい。
【００４０】
また、空気調和機１００が室内制御部３５を有さずに、制御部１０１のほとんど全ての機能が室外制御部２９に搭載されてもよい。あるいは、空気調和機１００が室外制御部２９を有さずに、制御部１０１のほとんど全ての機能が室内制御部３５に搭載されてもよい。
【００４１】
制御部１０１は、例えば、各種演算処理を行なうためのプロセッサ１１０と、各種プログラムやデータを記憶するためのメモリ１２０と、時計１３０などを含む。プロセッサ１１０は、例えばＣＰＵ（Central Processing Unit）により構成される。プロセッサ１１０は、メモリ１２０内に格納されたプログラムに従って、空気調和機１００の各部に対する各種の処理を実行する。
【００４２】
また、本実施の形態においては、室外ファン１６は、上述した通り、主に、プロペラファン１６１およびファンモータ１６２から構成されている。プロペラファン１６１は、ファンモータ１６２によって回転駆動され、屋外の外気を室外熱交換器１４に供給する。
【００４３】
室内ファン３３は、上述した通り、主に、クロスフローファン３３１およびファンモータ３３２から構成されている。クロスフローファン３３１は、ファンモータ３３２によって回転駆動され、室内の空気を筐体３１に吸い込んで室内熱交換器３２に供給すると共に、室内熱交換器３２で熱交換された空気を室内に送出する。
【００４４】
そして、本実施の形態においては、プロセッサ１１０は、メモリ１２０に記憶される制御プログラムに従って、圧縮機１２のモータ１２２の回転数を制御したり、膨張弁１５の開度を調節したり、室外機１０のプロペラファン１６１のファンモータ１６２の回転数を制御したり、室内機３０のクロスフローファン３３１のファンモータ３３２の回転数を制御したりする。具体的には、プロセッサ１１０は、室内温度と設定温度との差が大きいとときに圧縮機１２の回転数を高くしたり、プロペラファン１６１の回転数を高くしたり、クロスフローファン３３１の回転数を高くしたりする。そして、室内温度と設定温度との差が小さい場合は、圧縮機１２の回転数を低くしたり、プロペラファン１６１の回転数を低くしたり、クロスフローファン３３１の回転数を低くしたりする。また、下記の低電力運転時には、圧縮機１２の回転数を低くしたり、プロペラファン１６１の回転数を低くしたりする。
【００４５】
本実施の形態にかかる空気調和機１００は、室内機電圧計４１と、室内機電圧計４１と、を搭載する。室内機電圧計４１は、室内機３０のＡＣ電源の電圧を測定して測定結果を室内制御部３５に渡す。室外機電圧計４２は、室内機３０からユニット間配線を介して室外機１０に提供されるＡＣ電源の電圧を測定して測定結果を室外制御部２９を介して室内制御部３５に渡す。
【００４６】
そして、特に、本実施の形態においては、図４に示すように、制御部１０１は、コンセント２から室内機３０に提供されるＡＣ電源の電圧と、室内機３０からユニット間配線６０を介して室外機１０に提供されるＡＣ電源の電圧と、の差を計算することによって、電圧のロスを検出する。そして、制御部１０１は、電圧のロスが所定の程度よりも大きい場合に、室外機１０に低電力運転を実行させたり、電圧のロスが大きい旨の警告を出力したりする。
【００４７】
なお、室内機３０のＡＣ電源の電圧の測定方法や、室外機１０のＡＣ電源の電圧の測定方法や測定結果の伝達方法は特に限定するものではない。たとえば、室内制御部３５の制御基盤と室内機３０のＡＣ電源やＡＣ／ＤＣコンバータ回路とを非絶縁に構成することによって電源電圧を測定したり、室内機電圧計４１から室内制御部３５に無線によって測定電圧を提供したりすることができる。
【００４８】
図３に戻って、本実施の形態にかかる空気調和機１００は、ルータやインターネットを介して、サーバなどの他の装置とデータをやり取りするための通信インターフェイス４０を搭載する。空気調和機１００は、制御部１０１からの信号に基づいて各種の画像やテキストを表示するためのディスプレイ４３や、制御部１０１からの信号に基づいて各種の音声を出力するためのスピーカ４７を搭載する。
＜制御部１０１による電圧差確認処理＞
【００４９】
次に、本実施の形態にかかる制御部１０１による電圧差検出処理について説明する。本実施の形態においては、空気調和機１００が家庭に設置されて始めて空気調和運転を開始したときに、制御部１０１のプロセッサ１１０は、メモリ１２０のプログラムに基づいて、図５に示すような電圧差確認処理を実行する。
【００５０】
本実施の形態においては、プロセッサ１１０は、室内機電圧計４１から、コンセント２から室内機３０に提供されるＡＣ電源の電圧を取得する（ステップＳ１０２）。プロセッサ１１０は、室外機電圧計４２から、室内機３０からユニット間配線６０を介して室外機１０に提供されるＡＣ電源の電圧を取得する（ステップＳ１０４）。プロセッサ１１０は、室内機３０の電圧から室外機１０の電圧を減じて、両者の差を計算する（ステップＳ１０６）。
【００５１】
プロセッサ１１０は、両者の差が所定値、たとえば５ボルトや１０ボルトなど、よりも大きいか否かを判断する（ステップＳ１０８）。両者の差が所定値以上である場合（ステップＳ１０８にてＹＥＳである場合）、プロセッサ１１０は、低電力運転として、室外機１０の圧縮機１２の回転数を低くしたり、室外機１０のプロペラファン１６１の回転数を低くしたりする（ステップＳ１１０）。また、プロセッサ１１０は、室外機１０の電圧が下がっていることや、低電力運転を実行していることを、スピーカ４７やリモートコントローラ５０から音声出力させたり、ディスプレイ４３やリモコンに表示させたりする（ステップＳ１１２）。
【００５２】
両者の差が所定値以下である場合（ステップＳ１０８にてＹＥＳである場合）、プロセッサ１１０は、今回の電圧差確認処理を終了する。
＜第２の実施の形態＞
【００５３】
上記の実施の形態においては、空気調和機１００が家庭に設置されて始めて空気調和運転を開始したときに、プロセッサ１１０が、図５の電圧差確認処理を実行するものであったが、このような形態には限られない。
【００５４】
たとえば、ユーザやサーバから、メンテナンスモードの命令を受け付けた場合に、プロセッサ１１０が、図５の電圧差確認処理を実行してもよい。
【００５５】
あるいは、プロセッサ１１０は、空気調和運転を開始するたびに、図５の電圧差確認処理を実行してもよい。
【００５６】
あるいは、プロセッサ１１０は、定期的に、たとえば、１週間毎に、図５の電圧差確認処理を実行してもよい。
【００５７】
あるいは、メモリ１２０に運転積算時間を蓄積しておき、プロセッサ１１０は、１００時間空気調和運転する度に、図５の電圧差確認処理を実行してもよい。
＜第３の実施の形態＞
【００５８】
上記の実施の形態おいては、図５の電圧差確認処理などの各種の処理を空気調和機１００の制御部１０１が実行するものであったが、他の装置が上記の処理を実行してもよい。たとえば、図６に示すクラウド上のサーバ２００が、空気調和機１００から室内機３０の電圧と室外機１０の電圧とを取得して、電圧差確認処理を実行してもよい。つまり、空気調和機１００やサーバ２００やルータ４００などによって空気調和システム１が構成される。
【００５９】
より詳細には、図７に示すように、サーバ２００は、主たる構成要素として、ＣＰＵなどのプロセッサ２１０と、メモリ２２０と、操作部２４０と、通信インターフェイス２６０とを含む。
【００６０】
プロセッサ２１０は、メモリ２２０に記憶されているプログラムを実行することによって、サーバ２００の各部を制御する。
【００６１】
メモリ２２０は、各種のＲＡＭ、各種のＲＯＭなどによって実現され、サーバ２００に内包されているものであってもよいし、サーバ２００の各種インターフェイスに着脱可能なものであってもよいし、サーバ２００からアクセス可能な他の装置の記録媒体であってもよい。メモリ２２０は、プロセッサ２１０によって実行されるプログラムや、プロセッサ２１０によるプログラムの実行により生成されたデータ、入力されたデータ、その他の本実施の形態にかかる処理やサービスに利用されるデータベースなどを記憶する。
【００６２】
操作部２４０は、サービスの管理者などの命令を受け付けて、当該命令をプロセッサ２１０に入力する。
【００６３】
通信インターフェイス２６０は、プロセッサ２１０からのデータを、インターネット、キャリア網、ルータ４００などを介して、空気調和機１００や通信端末３００や他のサーバなどの他の装置に送信する。逆に、通信インターフェイス２６０は、インターネット、キャリア網、ルータなどを介して他の装置からのデータを受信して、プロセッサ２１０に受け渡す。
【００６４】
次に、本実施の形態にかかるプロセッサ２１０による空気調和機１００の電流確認処理について説明する。図５を参照して、プロセッサ２１０は、対象となる空気調和機１００毎に以下の処理を実行する。
【００６５】
プロセッサ２１０は、通信インターフェイス２６０を介して、空気調和機１００から、コンセント２から室内機３０に提供されるＡＣ電源の電圧を取得する（ステップＳ１０２）。プロセッサ２１０は、通信インターフェイス２６０を介して、空気調和機１００から、室内機３０からユニット間配線６０を介して室外機１０に提供されるＡＣ電源の電圧を取得する（ステップＳ１０４）。プロセッサ２１０は、室内機３０の電圧から室外機１０の電圧を減じて、両者の差を計算する（ステップＳ１０６）。
【００６６】
プロセッサ２１０は、両者の差が所定値よりも大きいか否かを判断する（ステップＳ１０８）。両者の差が所定値以上である場合（ステップＳ１０８にてＹＥＳである場合）、プロセッサ２１０は、通信インターフェイス２６０を介して、空気調和機１００に低電力運転するように指示する（ステップＳ１１０）。また、プロセッサ２１０は、通信インターフェイス２６０を介して、室外機１０の電圧が下がっていることや、低電力運転を実行していることを、空気調和機１００や空気調和機１００のユーザに紐付けられている通信端末３００に音声出力させたり表示させたりする（ステップＳ１１２）。
【００６７】
両者の差が所定値以下である場合（ステップＳ１０８にてＹＥＳである場合）、プロセッサ２１０は、次の空気調和機１００に対する処理へ移行する。
【００６８】
あるいは、空気調和機１００に紐付けられているスマートフォンなどの通信端末３００のアプリケーションプログラムが、図５の電圧差確認処理を実行してもよい。より詳細には、図８を参照して、空気調和システム１を構成する通信端末３００は、主たる構成要素として、ＣＰＵなどのプロセッサ３１０と、メモリ３２０と、ディスプレイ３３０と、操作部３４０と、通信インターフェイス３６０と、スピーカ３７０と、マイク３８０などを含む。
【００６９】
プロセッサ３１０は、メモリ３２０に記憶されているプログラムを実行することによって、通信端末３００の各部を制御する。
【００７０】
メモリ３２０は、各種のＲＡＭや、各種のＲＯＭなどによって実現される。メモリ３２０は、各種のアプリケーションプログラムなどのプロセッサ３１０によって実行されるプログラムや、プロセッサ３１０によるプログラムの実行により生成されたデータ、サーバ２００や空気調和機１００から受信したデータ、操作部３４０を介して入力されたデータ、通信端末３００のユーザを特定するための情報などを記憶する。
【００７１】
ディスプレイ３３０は、プロセッサ３１０からのデータに基づいて、画像やテキストを表示する。たとえば、プロセッサ３１０は、通信インターフェイス３６０を介してサーバ２００からのテキストデータに基づいてディスプレイ３３０にメッセージを表示させる。操作部３４０は、ポインティングデバイスやスイッチなどから構成され、ユーザからの各種の命令をプロセッサ３１０に入力する。なお、通信端末３００は、ディスプレイ３３０と操作部３４０とを含むタッチパネル３５０を有してもよい。
【００７２】
通信インターフェイス３６０は、インターネットやキャリア網やルータなどを介して、サーバ２００や空気調和機１００などの他の装置との間でデータを送受信する。たとえば、プロセッサ３１０は、メモリ３２０のアプリケーションプログラムに従って、通信インターフェイス３６０を介して、サーバ２００から各種のデータを受信したり、タッチパネル３５０を介してユーザから受け付けた各種命令をサーバ２００や空気調和機１００などの他の装置に送信したりする。
【００７３】
スピーカ３７０は、プロセッサ３１０からのデータに基づいて音声を出力する。たとえば、プロセッサ３１０は、通信インターフェイス３６０を介してサーバ２００からの音声データをスピーカ３７０に出力させる。マイク３８０は、取得した音声信号をプロセッサ３１０に入力する。たとえば、プロセッサ３１０は、マイク３８０から取得した音声データは通信インターフェイス３６０を介してサーバ２００に送信する。
【００７４】
そして、本実施の形態においては、プロセッサ３１０は、通信インターフェイス３６０を介してサーバ２００から音声データを受信して、スピーカ３７０に音声メッセージを出力させたり、通信インターフェイス３６０を介してサーバ２００からテキストデータを受信して、ディスプレイ３３０にメッセージを表示させたりする。
【００７５】
次に、本実施の形態にかかる通信端末３００のプロセッサ３１０による空気調和機１００の電流確認処理について説明する。図５を参照して、プロセッサ３１０は、通信インターフェイス３６０を介して、ｂｌｕｅｔｏｏｔｈ（登録商標）通信を利用して空気調和機１００から直接的に、あるいはＷｉＦｉ（登録商標）通信やインターネットを介して空気調和機１００から、コンセント２から室内機３０に提供されるＡＣ電源の電圧を取得する（ステップＳ１０２）。プロセッサ３１０は、通信インターフェイス３６０を介して、空気調和機１００から、室内機３０からユニット間配線６０を介して室外機１０に提供されるＡＣ電源の電圧を取得する（ステップＳ１０４）。プロセッサ３１０は、室内機３０の電圧から室外機１０の電圧を減じて、両者の差を計算する（ステップＳ１０６）。
【００７６】
プロセッサ３１０は、両者の差が所定値よりも大きいか否かを判断する（ステップＳ１０８）。両者の差が所定値以上である場合（ステップＳ１０８にてＹＥＳである場合）、プロセッサ３１０は、通信インターフェイス３６０を介して、空気調和機１００に低電力運転するように指示する（ステップＳ１１０）。また、プロセッサ３１０は、空気調和機１００の室外機１０の電圧が下がっていることや、低電力運転を実行していることを、スピーカ３７０から音声出力させたり、ディスプレイ３３０に表示させたりする（ステップＳ１１２）。あるいは、プロセッサ３１０は、通信インターフェイス３６０を介して、室外機１０の電圧が下がっていることや、低電力運転を実行していることを、空気調和機１００に音声出力させたり表示させたりする。
【００７７】
両者の差が所定値以下である場合（ステップＳ１０８にてＹＥＳである場合）、プロセッサ３１０は、今回の電圧差確認処理を終了する。
＜まとめ＞
【００７８】
上記の実施の形態おいては、室内機と室外機とを備える空気調和システムが提供される。室内機または室外機が制御部を含む。制御部は、室内機のＡＣ電圧と室外機のＡＣ電圧の差を計算することによって、当該差が所定値よりも大きいか否かを判断し、当該差が所定値よりも大きい場合にエラー通知を出力する。
【００７９】
上記の実施の形態おいては、室内機と室外機とを備える空気調和システムが提供される。室内機または室外機が制御部を含む。制御部は、室内機のＡＣ電圧と室外機のＡＣ電圧の差を計算することによって、当該差が所定値よりも大きいか否かを判断し、当該差が所定値よりも大きい場合に低電力運転を実施する。
【００８０】
上記の実施の形態おいては、室内機と、室外機と、室内機または室外機と通信可能なサーバとを備える空気調和システムが提供される。サーバが制御部を含む。制御部は、室内機のＡＣ電圧と室外機のＡＣ電圧の差を計算することによって、当該差が所定値よりも大きいか否かを判断し、当該差が所定値よりも大きい場合に室内機または通信端末にエラー通知を出力させる。
【００８１】
上記の実施の形態おいては、室内機と、室外機と、室内機または室外機と通信可能なサーバとを備える空気調和システムが提供される。サーバが制御部を含む。制御部は、室内機のＡＣ電圧と室外機のＡＣ電圧の差を計算することによって、当該差が所定値よりも大きいか否かを判断し、当該差が所定値よりも大きい場合に室外機に低電力運転を実施させる。
【００８２】
上記の実施の形態おいては、室内機と、室外機と、室内機または室外機と通信可能な通信端末とを備える空気調和システムが提供される。通信端末が制御部を含む。制御部は、室内機のＡＣ電圧と室外機のＡＣ電圧の差を計算することによって、当該差が所定値よりも大きいか否かを判断し、当該差が所定値よりも大きい場合にエラー通知を出力する。
【００８３】
好ましくは、制御部は、室内機または室外機の電源がＯＮされたときに、判断を実行する。
【００８４】
好ましくは、制御部は、定期的に、判断を実行する。
【００８５】
好ましくは、制御部は、空気調和運転の積算時間が所定の時間に達したときに、判断を実行する。
【００８６】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【符号の説明】
【００８７】
１        ：空気調和システム
２        ：コンセント
１０      ：室外機
１１      ：筐体
１２      ：圧縮機
１２ａ    ：吐出管
１２ｂ    ：吸入管
１３      ：四路切換弁
１４      ：室外熱交換器
１５      ：膨張弁
１６      ：室外ファン
１６１    ：プロペラファン
１６２    ：ファンモータ
１７      ：冷媒配管
１８      ：冷媒配管
１９      ：二方弁
２０      ：三方弁
２１      ：室外熱交換器温度センサ
２２      ：吐出温度センサ
２３      ：吸入温度センサ
２４      ：出口温度センサ
２５      ：外気温度センサ
２９      ：室外制御部
３０      ：室内機
３１      ：筐体
３２      ：室内熱交換器
３２Ａ    ：熱交換器
３２Ｂ    ：熱交換器
３２Ｃ    ：熱交換器
３３      ：室内ファン
３３１    ：クロスフローファン
３３２    ：ファンモータ
３４      ：室内熱交換器温度センサ
３５      ：室内制御部
３６      ：縦ルーバー
３８      ：室内温度センサ
３９      ：赤外線受光部
４０      ：通信インターフェイス
４１      ：室内機電圧計
４２      ：室外機電圧計
４３      ：ディスプレイ
４７      ：スピーカ
４９      ：フィルタ
５０      ：リモートコントローラ
６０      ：ユニット間配線
１００    ：空気調和機
１０１    ：制御部
１１０    ：プロセッサ
１２０    ：メモリ
１２２    ：モータ
１３０    ：時計
２００    ：サーバ
２１０    ：プロセッサ
２２０    ：メモリ
２４０    ：操作部
２６０    ：通信インターフェイス
３００    ：通信端末
３１０    ：ＣＰＵ
３２０    ：メモリ
３３０    ：ディスプレイ
３４０    ：操作部
３５０    ：タッチパネル
３６０    ：通信インターフェイス
３７０    ：スピーカ
３８０    ：マイク
４００    ：ルータ
【図１】
2020190365.tif 000003
【図２】
2020190365.tif 000004
【図３】
2020190365.tif 000005
【図４】
2020190365.tif 000006
【図５】
2020190365.tif 000007
【図６】
2020190365.tif 000008
【図７】
2020190365.tif 000009
【図８】
2020190365.tif 000010